(57)【要約】【課題】あくまでも出来上がりが平面的であるため、未だ、従来の魚拓の域を脱しておらず、趣向性に欠く。【解決手段】釣り具店等の店舗に３Ｄスキャナー等のデータ記録手段１を設置し、釣り人が釣ってきた魚類等を前記店舗のデータ記録手段１でデータ化する。データー化された数値軸等の三次元デジタルデータを所定箇所にメール等のデータ配信手段２で受け付け、受け付けた受信データを基に立体的な商品処理手段４で掘削加工処理４ａ、塗装処理４ｂ等を施してリアルな立体魚拓に具現化し、箱若しくは額縁に飾り付けて店舗若しくはユーザーに発送する。釣具店等の店舗が、３Ｄ魚拓、３Ｄ数値化データの受け付け、受け渡しの場所になることで、大物が釣れた後に必ず店舗に寄り、また、立体魚拓が出来上がった際、必ずそれを受け取りに来るなど、店舗に寄る機会が増え、売り場の活性化が図れる。【選択図】  図１
2005100242.tif 000002
【特許請求の範囲】
【請求項１】
魚類等の対象物をデジタルカメラ若しくは３Ｄスキャン装置等の記録手段を介してデータ化するデータ記録手段と、該データ記録手段で得られたデジタル写真、数値化等のデータを配信するデータ配信手段と、該データ配信手段から得られたデータ（以下、受信データという）を基に立体映像に加工せしめるデータ立体視手段と、該データ立体視手段で得られた立体映像を基に商品の彫り込み・塗装等の処理を行う商品処理手段と、該商品処理手段で得られた最終商品を指定場所に発送する商品発送手段との全て又は何れかを選択又は組み合わせてなることを特徴とする立体魚拓の販売システム。
【請求項２】
釣り具店等の店舗に３Ｄスキャナー等のデータ記録手段を設置し、釣り人が釣ってきた魚類等の対象物を前記店舗のデータ記録手段でデータ化し、次いで、データー化された数値軸等のデータ（以下、三次元デジタルデータという）を所定工場にメール等のデータ配信手段で受け付け、次いで、受け付けた受信データを基に立体的な商品処理を施して具現化し、次いで、箱若しくは額縁に飾り付けて前記店舗若しくはユーザーに発送することを特徴とする請求項１に記載の立体魚拓の販売システム。
【請求項３】
前記データ配信手段は、インターネット、パソコン通信、携帯電話網などの通信ネットワークやＧＰＳを介して利用できる固定端末（パソコン、カーナビゲーション、メールやインターネットができる情報家電等）、モバイル・携帯情報端末(携帯電話機／ＰＨＳを含む)などのプラットフォームであることを特徴とする請求項１又は２に記載の立体魚拓の販売システム。
【請求項４】
釣り人が釣ってきた魚類等の対象物をデータ記録手段でデータ化し、次いで、データー化された数値軸等の三次元デジタルデータを基に立体化してパソコンのモニター画面内で遊泳若しくは観賞せしめる遊泳観賞手段を備えたことを特徴とする請求項１又は２に記載の立体魚拓の販売システム。
【発明の詳細な説明】
【技術分野】
【０００１】
本発明は、主として釣り人が釣り上げた魚を立体的な魚拓として販売する立体魚拓の販売システムに関し、更に詳しくは、立体化して常套の魚拓や剥製とは一味違う趣向性の高いオブジェを作成し、また、店舗の活性化や販売ルートを確立すると共に、釣りを趣味とする人々にとって永遠に残る立体的な魚拓や遊泳画像を記念品として提供することができる有用な立体魚拓の販売システムに関する。
【背景技術】
【０００２】
一般的に、魚拓は、魚の表面を拭いた後、背びれ、尾びれ等の形を整え、次いで、魚の表面に墨を塗り、その上に和紙や絹等の被覆材をあてがって表面を擦り上げることにより、魚の形像を被覆材に写し取っている。而して、斯かる常套の魚拓にあっては、墨、筆、用紙を準備した上で手際よく作業を進めなければならず、また、実際、素人では鱗等の細かい模様までも上手く写し取れないことから、素人でも容易に魚拓を作成できる魚拓システムが案出されている。
【０００３】
従来、斯かる魚拓システムとしては、例えば、魚を予め定められたメッシュシート上で撮像し、当該撮像された画像をデジタル符号化して出力する撮像手段と、前記デジタル符号化された魚の画像から魚拓イメージを作成して出力するプロセス部とを有している。
【特許文献１】特開平９−３０５７４２号公報
【発明の開示】
【発明が解決しようとする課題】
【０００４】
しかしながら、上述した従来の魚拓システムにあっては、画像処理によって自動的に魚拓の画像を生成できるので、素人でも美しく魚拓を作成できるといった利点を有するものの、あくまでも出来上がりが平面的であるため、未だ、従来の域を脱しておらず、趣向性に欠くものである。
【０００５】
一方、剥製は、立体的でリアリティがある反面、内蔵を取り出して乾燥処理を施さなければならないなどの手間がかかると共に、臭いが残ったり、管理が難しいため、魚類には適しておらず、また、せっかくの大物でも食することができないことも相俟って、処理・加工が簡単で、臭いがなく、また、管理が容易で経年変化に強く、いつまでオブジェとして記念に残すことができるなど、剥製に代わる新たな魚拓が要望されている。
【０００６】
本発明は斯かる問題点及び要望に鑑みてなされたもので、魚拓を立体化して常套の魚拓や剥製とは一味違う趣向性の高いオブジェを作成し、また、店舗の活性化や販売ルートを確立すると共に、釣りを趣味とする人々にとって永遠に残る立体的な魚拓や遊泳画像を記念品として提供できる有用な立体魚拓の販売システムを提供することを目的とする。
【課題を解決するための手段】
【０００７】
上述の如き従来の問題点を解決し、所期の目的を達成するため本発明の要旨とする構成は、魚類等の対象物をデジタルカメラ若しくは３Ｄスキャン装置等の記録手段を介してデータ化するデータ記録手段と、該データ記録手段で得られたデジタル写真、数値化等のデータを配信するデータ配信手段と、該データ配信手段で得られた受信データを基に立体映像に加工せしめるデータ立体視手段と、該データ立体視手段で得られた立体映像を基に商品の彫り込み・塗装等の処理を行う商品処理手段と、該商品処理手段で得られた最終商品を所定場所に発送する商品発送手段の全て又は何れかを選択又は組み合わせてなる立体魚拓の販売システムに存する。
【０００８】
特に、釣り具店等の店舗に３Ｄスキャナー等のデータ記録手段を設置し、釣り人が釣ってきた魚類等の対象物を前記店舗のデータ記録手段でデータ化し、次いで、データー化された数値軸等の三次元デジタルデータを所定工場にメール等のデータ配信手段で受け付け、次いで、受け付けた受信データを基に立体的な商品処理を施して具現化し、次いで、箱若しくは額縁に飾り付けて前記店舗若しくはユーザーに発送するのが良い。
【０００９】
更に、前記データ配信手段は、インターネット、パソコン通信、携帯電話網などの通信ネットワークやＧＰＳを介して利用できる固定端末（パソコン、カーナビゲーション、メールやインターネットができる情報家電等）、モバイル・携帯情報端末(携帯電話機／ＰＨＳを含む)などのプラットフォームであるのが良い。
【００１０】
また、釣り人が釣ってきた魚類等の対象物をデータ記録手段でデータ化し、次いで、データー化された数値軸等の三次元デジタルデータを基に立体化してパソコンのモニター画面内で遊泳若しくは観賞せしめる遊泳観賞手段を備えるのが良い。
【発明の効果】
【００１１】
本発明は、魚類等の対象物をデジタルカメラ若しくは３Ｄスキャン装置等の記録手段を介してデータ化するデータ記録手段と、該データ記録手段で得られたデジタル写真、数値化等のデータを配信するデータ配信手段と、該データ配信手段で得られた受信データを基に立体映像に加工せしめるデータ立体視手段と、該データ立体視手段で得られた立体映像を基に商品の彫り込み・塗装等の処理を行う商品処理手段と、該商品処理手段で得られた最終商品を発送する商品発送手段の全て又は何れかを選択又は組み合わせてなることによって、従来の魚拓に比して誰にでも簡単かつ正確にでき、しかも、自分の釣り上げた自慢の魚類等の対象物を立体的でリアルなオブジェとして記念に残すことができるといった効果を奏する。
【００１２】
特に、釣り具店等の店舗に３Ｄスキャナー等のデータ記録手段を設置し、釣り人が釣ってきた魚類等の対象物を前記店舗のデータ記録手段でデータ化し、次いで、データー化された数値軸等の三次元デジタルデータを所定工場にメール等のデータ配信手段で受け付け、次いで、受け付けた受信データを基に立体的な商品処理を施して具現化し、次いで、箱若しくは額縁に飾り付けて前記店舗若しくはユーザーに発送することによって、釣具店等の店舗が、３Ｄ魚拓、３Ｄ数値化データの受け付け、受け渡しの場所になるため、特に、大物が釣れた場合、釣った後に必ず店舗に寄り、また、立体魚拓が出来上がった際、必ずそれを受け取りに来るなど、店舗に寄る機会が増えるため、売り場の活性化が進み、それに連れて商品の回転率も向上し、更には、実際に釣りに行った人の結果や釣り自慢などがフィードバックされ、人気商品のリサーチや開拓などにもつながるといった効果を奏するものであり、自分の釣った魚が立体的に飾り付けられて直接的にユーザーのところにも配達できるなどの利便性も図ることができる。
【００１３】
更に、前記データ配信手段は、インターネット、パソコン通信、携帯電話網などの通信ネットワークやＧＰＳを介して利用できる固定端末（パソコン、カーナビゲーション、メールやインターネットができる情報家電等）、モバイル・携帯情報端末(携帯電話機／ＰＨＳを含む)などのプラットフォームであることによって、店舗までの距離や地理的条件に関係なく、誰にでも簡単に商品の発注、販売ができると共に、ユーザーのＥメール等に、それぞれのニーズに応じた情報やターゲット商品を送り込めるなどの宣伝効果をも高めることができる。
【００１４】
また、釣り人が釣ってきた魚類等の対象物をデータ記録手段でデータ化し、次いで、データー化された数値軸等の三次元デジタルデータを基に立体化してパソコンのモニター画面で遊泳若しくは観賞せしめる遊泳観賞手段を備えることによって、自分の釣った魚が恰も生きているかのように画面に映し出されるため、単なる魚の観賞というだけではなく、自分の釣り上げた魚自慢にもなるため、太公望にとって趣向性の高い映像記録を提供できると共に、立体的な釣り記録として映像に残すことができるなどの効果を奏する。
【００１５】
このように本発明の立体魚拓の販売システムは、魚拓を立体化して常套の魚拓や剥製とは一味違う趣向性の高いオブジェを作成し、また、店舗の活性化や販売ルートを確立することができると共に、釣りを趣味とする人々にとって永遠に残る立体的な魚拓を記録品として提供できるものであり、また、構成が単純であるため、大量生産に適し、価格も低廉なものとして需要者に供給できるなど、本発明を実施することはその実益的価値が甚だ大である。
【発明を実施するための最良の形態】
【００１６】
釣り人等のユーザーが得た魚類等の対象物をデジタルカメラ若しくは３Ｄスキャン装置等の記録手段を介してデータ化するデータ記録手段と、該データ記録手段で得られたデジタル写真、数値化等のデータを配信するデータ配信手段と、該データ配信手段で得られた受信データを基に立体映像に加工せしめるデータ立体視手段と、該データ立体視手段で得られた立体映像を基に商品の彫り込み・塗装等の処理を行う商品処理手段と、該商品処理手段で得られた最終商品を発送する商品発送手段とを備えるのが良い。
【実施例１】
【００１７】
次に、本発明の実施の一例を図面を参照しながら説明する。図中Ａは、本発明に係る立体魚拓の販売システムであり、この販売システムＡは、魚類等の対象物を記録手段を介してデータ化するデータ記録手段１と、該データ記録手段１で得られた画像や３次元デジタルデータを配信するデータ配信手段２と、該データ配信手段２で得られた受信データを基に立体映像に加工せしめるデータ立体視手段３と、該データ立体視手段３で得られた立体映像を基に商品の彫り込み・塗装等の処理を行う商品処理手段４と、該商品処理手段４で得られた最終商品を発送する商品発送手段５及び遊泳観賞手段６とを備えている。
【００１８】
データ記録手段１は、店頭又は個人で魚体写真の撮像を行うものであり、具体的には、デジタルカメラや３Ｄスキャン装置等の記録手段を介して魚体をデータ化するものである。３Ｄスキャン装置としては、例えば、ローランドデイジー株式会社の３Ｄレーザスキャナー（ＬＰＸ−２５０）が好ましく、特に、立体物を高速に読み取り、データ変換までをサポートしてくれるため、頗る便利である。
【００１９】
データ配信手段２は、データ記録手段１で得られたデーターを管理７まで送信することで商品発注を行うものであり、魚体のデジタル写真、数値化等のデータを配信するものである。同配信手段２としては、例えば、既存のインターネット、パソコン通信、携帯電話網などの通信ネットワークやＧＰＳを介して利用できる固定端末（パーソナルコンピュータ、カーナビゲーション、メールやインターネットができる情報家電等）、モバイル・携帯情報端末（携帯電話機／ＰＨＳを含む）などのプラットフォームが挙げられる。
【００２０】
データ立体視手段３は、例えば、パーソナルコンピュータ（パソコン）等のハードを利用するものであり、データ記録手段１でデータ化されたスキャン後の点群データ（ポリゴンデータ）を３Ｄデータとして読み込み活用し、データの修正や最適化を行い、市販の３ＤＣＡＤ／ＣＧソフトを認識して立体的に画像化するものである。
【００２１】
商品処理手段４は、データ立体視手段３で得られた立体映像を基に、商品の彫り込み・塗装等の処理を行うものである。具体的には、製作許可依頼を受信した後、ＸＹＺの数値軸データより、樹脂材、木材、真鍮、アルミ材等の素材をモデリングマシーン等で立体的に切削し、彫り込みすることで掘削加工処理４ａを施し魚体本体を作成する。また、釣った日時、魚名、釣り人氏名、場所等の必要事項を明示するプレートも併せて作成するものであるが、魚対本体に斯かる必要事項を刻設若しくは印刷しても良いものである。
【００２２】
次いで、表面の塗装処理４ｂを行う場合は、その旨を専門店にメール等にて配信した後、塗装処理を行なう。具体的には、デジタル写真や立体画像を見ながら本体、背鰭、尾鰭等のパーツ毎に塗装処理を行い或いはデジタル写真や立体映像を、ＰＣに連動された自動吹付装置を介してその色彩を写真の如く如実に再現できる塗装処理を施しても良い。斯かる塗装処理終了後、全体の組立処理４ｃを行なう。尚、組立処理終了後、出来具合を確認するため、一旦、組立処理済みの写真を管理７又はユーザーまで送信し、出来具合を確認してもらうと共に、商品として発送しても良いか否かの許可を得る。
【００２３】
商品発送手段５は、発送許可を得た後、商品処理の済んだ最終商品を箱若しくは額縁に飾り付けて宅配便等にて所定の店舗若しくはユーザーに発送する。
【００２４】
一方、遊泳観賞手段６は、釣り人が釣ってきた魚類等の対象物をデータ記録手段３でデータ化し、次いで、データー化された数値軸等の三次元デジタルデータを基に立体化してパソコンのモニター画面内で遊泳若しくは観賞せしめるものである。
【００２５】
このように構成される本発明に係る立体魚拓の販売システムは、釣り具店等の店舗に３Ｄスキャナー等のデータ記録手段１を設置してあるため、釣り人が釣ってきた魚類等の対象物を前記店舗のデータ記録手段１でデータ化し、次いで、データー化された数値軸等の三次元デジタルデータを所定工場にメール等のデータ配信手段２で受け付け、次いで、受け付けた受信データを基に立体的な商品処理を施して具現化し、次いで、箱若しくは額縁に飾り付けて前記店舗若しくはユーザーに発送することができる。
【００２６】
しかも、釣具店等の店舗が、３Ｄ魚拓、３Ｄ数値化データの受け付け、受け渡しの場所になるため、特に、大物が釣れた場合、釣った後に必ず店舗に寄り、また、立体魚拓が出来上がった際、必ずそれを受け取りに来るなど、店舗に寄る機会が増えるため、売り場の活性化が進み、それに連れて商品の回転率も向上し、更には、実際に釣りに行った人の結果や釣り自慢などがフィードバックされ、人気商品のリサーチや開拓などにもつながるものであり、自分の釣った魚が立体的に飾り付けられて直接的にユーザーのところにも配達できるなど、利便性も図ることができる。
【００２７】
また、自分の好きな物は常にそばに置いておきたいというユーザーの心理、特に、自分自身が苦労して得た物という他の商品にはないオリジナルティーを持つことになり、また、従来の魚拓とは違い、立体的な分だけ生活の中におけるオブジェとしても生かせる商品を作り出せ、また、身近な友人同志で集まって行った大会の大物記念品としても、釣りにおける一つのコンセプトを与えることができるなどの利点をも有する。
【００２８】
特に、電子カメラ等を利用して手軽にできるということは、最近のブラックバス釣りに代表されるようにキャッチアンドリリースといったスポーツフィッシング的な人気に対しても、悔いなくリリースすることができ、また、剥製等の手間も要らず、せっかく釣り上げた大物の証拠（立体化した物）が手元にあればという願いをも叶えることができ、釣り業界の需要増大を期待できるものである。
【００２９】
尚、本発明はこれら実施例に限定されることなく、本発明の目的の範囲内で自由に設計変更し得るものであり、本発明はそれらの全てを包摂するものである。
例えば、本実施例では、魚体についてのみ説明しているが、これに限定されることなく、蟹、海老、貝類などの他、ユーザーが残したいと思う全ての立体物を包摂するものであり、また、オブジェ、記念品としての用途の他、文鎮や箸置きとしても使用できるものである。
【００３０】
また、本発明は、立体魚拓の販売システムについて説明しているが、これに限定されることなく、魚類等の対象物をデータ記録手段１を介して、一旦、画像や３次元デジタルデータにデータ化し、その画像や３次元デジタルデータを基にデータ立体視手段３を介して対象物を立体映像に再現・加工し、次いで、斯かる立体映像を基に商品処理手段４で樹脂材、木材、真鍮、アルミ材等の素材をモデリングマシーン等で立体的に切削し、彫り込み、また、表面にリアルな塗装処理を施すことにより、釣った魚と同じ大きさ及び／又は同じ重さで、本物と変わらない（一匹まるごとの）リアリティのある（活き活きとした）立体魚拓の製造方法を開示するものであることは云うまでもない。
【図面の簡単な説明】
【００３１】
【図１】本発明に係る立体魚拓の販売システムの概略を示すフローチャートである。
【図２】同販売システムの商品製作過程を示す第１フローチャートである。
【図３】同販売システムの商品製作過程を示す第２フローチャートである。
【図４】同販売システムの流通を示す説明図である。
【符号の説明】
【００３２】
１  データ記録手段
２  データ配信手段
３  データ立体視手段
４  商品処理手段
４ａ  掘削加工処理
４ｂ  塗装処理
４ｃ  組立処理
５  商品発送手段
６  遊泳観賞手段
７  管理
【図１】
2005100242.tif 000003
【図２】
2005100242.tif 000004
【図３】
2005100242.tif 000005
【図４】
2005100242.tif 000006